(57)【要約】【課題】  大型化する背負式動力散布機を使っての散布作業が高齢者等においてもこれを使えば容易に行えると共に、これに搭載しての走行散布時にはこれを前後の操作ハンドルを使って前後どちらの方向にも押せるので作業方向（進行方向）の切り替えが楽に行えるし、この前後の操作ハンドルを使って二人作業が可能になるので高齢者等において特に走行散布作業が二人で楽に行える背負式動力散布機の搭載用走行台車を得る。【解決手段】  前後輪１ａで自立して走行する車台枠１と、この車台枠１の前後方にそれぞれ設けた操作ハンドル２と、車台枠１の中ほどに設けた背負式動力散布機４を着脱可能に搭載するための搭載台部３とを備え、かつ搭載台部３に搭載した状態でも背負式動力散布機４の散布が可能になるようにしてなる。【選択図】    図２
2006101814.tif 000002
【特許請求の範囲】
【請求項１】
前後輪で自立して走行する車台枠と、この車台枠の前後方にそれぞれ設けた操作ハンドルと、前記車台枠の中ほどに設けた背負式動力散布機を着脱可能に搭載するための搭載台部とを備え、かつ前記搭載台部に搭載した状態でも背負式動力散布機の散布が可能になるようにしたことを特徴とする背負式動力散布機の搭載用走行台車。
【発明の詳細な説明】
【技術分野】
【０００１】
本発明は、背負式動力散布機を着脱可能に搭載することができると共に搭載した背負式動力散布機から散布しながら走行することができる背負式動力散布機の搭載用走行台車に関するものである。
【背景技術】
【０００２】
背負式動力散布機は、その名の通り作業者がこれを背負って歩行しながら散布するというものである。
最近では、市場のニーズや便宜上から背負式動力散布機が大型化して、大きいものでは総重量が３０Ｋｇ（例として通常、満タン部分：２０Ｋｇ、エンジン部分：１０Ｋｇ）位のものも出現している。
【発明の開示】
【発明が解決しようとする課題】
【０００３】
解決しようとする問題は、当然のことながら大型化する背負式動力散布機を背負って歩行散布する場合には散布作業に体力が要求されることにより、高齢者のように体力に衰えのある作業者にはきつい作業となるにもかかわらず、作業者に高齢化が進み、背負式動力散布機の使用に問題を投げかけているという点である。
【課題を解決するための手段】
【０００４】
本発明は、前後輪で自立して走行する車台枠と、この車台枠の前後方にそれぞれ設けた操作ハンドルと、前記車台枠の中ほどに設けた背負式動力散布機を着脱可能に搭載するための搭載台部とを備え、かつ前記搭載台部に搭載した状態でも背負式動力散布機の散布が可能になるようにしたことを特徴とする。
【発明の効果】
【０００５】
本発明は、背負式動力散布機としての本来の背負い散布の機能をそのままにして、この背負式動力散布機の散布能力を走行する台車上でも発揮できるようにすることにより、大型化する背負式動力散布機を使っての散布作業が高齢者等においてもこれを使えば容易に行えると共に、これに搭載しての走行散布時にはこれを前後の操作ハンドルを使って前後どちらの方向にも押せるので作業方向（進行方向）の切り替えが楽に行えるし、この前後の操作ハンドルを使って二人作業が可能になるので高齢者等において特に走行散布作業が二人で楽に行えるという効果がある。
【発明を実施するための最良の形態】
【０００６】
前後輪で自立して走行する車台枠と操作ハンドルと搭載台部とを備えた走行台車であって、その搭載台部に背負式動力散布機を搭載できるようにすると共に搭載した状態で背負式動力散布機からの散布を可能にすることにより、実現した。
【実施例１】
【０００７】
本発明の一実施例を図１，図２を用いて説明する。図１は全体を示す斜視図、図２は搭載した背負式動力散布機を点線で表して示す図１の側面図である。
【０００８】
図において、１は三輪（前方大一輪）１ａで自立して走行する車台枠、２は車台枠１の前後方にそれぞれ設けた操作ハンドル、３は車台枠１の中ほどに設けた背負式動力散布機４を着脱可能に搭載するための搭載台部である。
なお、背負式動力散布機４は、タンク５とポンプ６とエンジン７とが背負枠にセットされてなると共にその背負ベルト８により背負い可能で、さらに切換レバー９の操作によりタンク下口の開口調節部１０を切り換えて散布量の調節ができるようになっている。
【０００９】
本走行台車としては図１に示すように自立走行型の構造をしており、これの搭載台部３の部分に背負式動力散布機４を図２に示すように搭載できるようになっている。
このときの背負式動力散布機４の搭載台部３への固定手段は、特に定めるものではないが、例えば搭載台部３にある押え金具（図示せず）を用いてその下部をボルト４ｂで止めると共にその背負枠の部分を押え金具４ｃに嵌め込んで止めて着脱可能に固定できるようにしても良い。
【００１０】
本走行台車は、図２に示すように背負式動力散布機４を搭載した状態で走行自在であるので、エンジン７によりポンプ６を駆動してその吐出口（後記する）から散布しながら走行すると、背負式動力散布機４を背負わずに本走行台車を押しながら走行散布ができる。よって、背負式動力散布機４が大型で背負いながらの歩行散布が困難なときにはこのように本走行台車を使って楽に走行散布ができる。
【００１１】
勿論、背負式動力散布機４を本走行台車の搭載台部３から外せば、背負式動力散布機４としての本来の背負い散布もできるので、散布地形などを考えながら、自在に背負っての歩行散布，本走行台車に搭載しての走行散布の使い分けが簡単にできる。
【００１２】
また、本走行台車の前後に操作ハンドル２をそれぞれ設けてあるので、進行方向を逆にしたいときには、本走行台車の前後をひっくり返さなくても、反対側の操作ハンドル２を使って簡単に逆の方向に進行できるし、この両操作ハンドル２を使って二人作業も簡単に行えるので、特に高齢者による作業が容易となる。
【実施例２】
【００１３】
この実施例のものは長距離散布用ブロワーを備えた走行台車であって、図３，図４を用いて説明する。図３は側面図、図４は図３を後方からみた図であり、図中前記した実施例１のものと同一または相当部分には同一符号を付して説明を省略する。
【００１４】
図において、１１は車台枠１に設置した長距離散布用ブロワーで、その基端側の蛇腹管１１ａが背負式動力散布機４の吐出口４ａに接続できるような連結構造体になっている。  この長距離散布用ブロワー１１は、固定縦杆１１ｂの上端軸１１ｃを中心として図４中想像線で示すように左右に旋回する（手動で）ようになっていると共に、その旋回位置では弾力的に伸縮する伸縮杆１１ｄをピン（図示せず）により長さ決めすることにより想像線で示す位置にそれぞれ固定できるようになっている。
【００１５】
このように本走行台車に設けた長距離散布用ブロワー１１を使うと、背負式動力散布機４の吐出口４ａからの散布に比べて大幅に散布域が拡大するし、その角度の調整により好みの散布域が得られる。
【実施例３】
【００１６】
この実施例のものは散布量を調節するための切換レバーとして操作ハンドル２に手元切換レバーを備えた走行台車であって、図５を用いて説明する。図５は側面図であり、図中前記した実施例１のものと同一または相当部分には同一符号を付して説明を省略する。
【００１７】
図において、１２は操作ハンドル２に設置した散布量調節用の手元切換レバーで、連結リンク機構１３により背負式動力散布機４のタンク下口の開口調節部１０に接続できるような連結構造体になっている。
【００１８】
よって、本走行台車の搭載台部３の部分に背負式動力散布機４が搭載されると、そのタンク下口の開口調節部１０に連結リンク機構１３の先を接続すれば良い。
このように本走行台車に設けた連結リンク機構１３により手元切換レバー１２を連結すれば、図５に示すように操作ハンドル２の位置での手元切換レバー１２の操作により開口調節部１０を切り換えることができ、散布量の調節が操作ハンドル２の手元で容易に行えるようになる。さらなる安定走行と作業性の向上が図れる。なお、手元切換レバー１２は両操作ハンドル２にそれぞれ設けても良い。
【実施例４】
【００１９】
以上の各実施例では、本走行台車を三輪車としたものを示したが、四輪車であっても良いし、二輪車（幅広車輪として）であっても良いし、さらに走行用エンジンを搭載して自走するようにしたものとしても良い。
【産業上の利用可能性】
【００２０】
本発明は、背負式動力散布機を搭載する走行台車として広く活用できる。
【図面の簡単な説明】
【００２１】
【図１】本発明の実施例１を示す全体斜視図である。
【図２】搭載した背負式動力散布機を点線で表して示す図１の側面図である。
【図３】本発明の実施例２を示す側面図である。
【図４】図３を後方からみた図である。
【図５】本発明の実施例３を示す側面図である。
【符号の説明】
【００２２】
１：車台枠
１ａ：三輪
２：操作ハンドル
３：搭載台部
４：背負式動力散布機
４ａ：吐出口
５：タンク
６：ポンプ
７：エンジン
８：背負ベルト
９：切換レバー
１０：タンク下口の開口調節部
１１：長距離散布用ブロワー
１１ａ：蛇腹管
１２：手元切換レバー
１３：連結リンク機構
【図１】
2006101814.tif 000003
【図２】
2006101814.tif 000004
【図３】
2006101814.tif 000005
【図４】
2006101814.tif 000006
【図５】
2006101814.tif 000007